(57)【特許請求の範囲】
【請求項１】
背当て部上部に取り付けられ、ハウジングベースとハウジングカバーよりなるハウジングを有する肩ベルト取り付け具に一対の肩ベルトのそれぞれの一端に取り付けられた肩ベルト係止部を取り付けて構成したランドセルにおいて、前記肩ベルト取り付け具には上記ハウジングベースと一体に構成された弾性変形可能な支持部と、前記支持部に設けられた円柱状の係合凸部が設けられ、前記肩ベルト係止部の一端には前記円柱状の係合凸部に係止可能な円筒状の穴が設けられており、前記肩ベルト係止部がハウジング内に挿入された状態で、前記円筒状の穴方向に付勢されている前記円柱状の係合凸部に係合するように構成されるとともに、前記ハウジングカバーには一体に設けられた弾性変形可能な舌片を備え、前記ハウジング外部から上記舌片を内部に押し込むことで、前記肩ベルト係止部に設けられた円筒状の穴の方向に付勢されている前記円柱状の係合凸部を付勢されている方向とは逆の方向に変位させ、前記肩ベルト取り付け具と前記肩ベルト係止部の係合を解除するように構成され、前記肩ベルト係止部は肩ベルト取り付け具と係合状態で係合部を軸に回動可能に構成されていることを特徴とするランドセル。
【発明の詳細な説明】
【技術分野】
【０００１】
本発明は、ランドセルに関するものである。
【背景技術】
【０００２】
従来のランドセルの肩ベルトはランドセル本体にカシメや縦製にて強固に取り付けられており、肩ベルトは６年間もの長期使用に関して使用者の成長などの体格変化の対応にはベルトの長さ調節しかできていない。特許文献１は肩ベルトが本体と脱着できる構造であるが工具が必要であるため交換作業が面倒でありさらに専用取り付け用パーツが別部品で必要になるため交換中に紛失の可能性があった。また、係合部が露出しており見栄えも良くない。特許文献２は肩ベルトの脱着装置が肩ベルト取り付け具に対して背負った状態で外部上方に配置されているために大型で重くなり背負ったときに子供の首に脱着装置が当たる問題があった。特許文献３は特許文献１同様に肩ベルトが本体と脱着できる構造であるが工具が必要であるため交換作業が面倒であり、さらに専用取り付け用パーツが別部品で必要になるため交換中に紛失の可能性がある。また特許文献１より見栄えを良くするための係合部のネジなどを隠す部品がさらに増える欠点もあり、一般の使用者が交換するには難があった。
【先行技術文献】
【特許文献】
【０００３】
【特許文献１】特許第４１９３１２４号
【特許文献２】特開２００６-２５９９８  公報
【特許文献３】実用新案登録第３１６３２５６号
【発明の概要】
【発明が解決しようとする課題】
【０００４】
本発明は肩ベルトを従来のように工具や別の取り付けパーツを使用しないで誰でも簡単に取り外しできるようにし、かつ取り付け部の見栄えを良くしさらに背負い心地の良いランドセルを提供するものである。
【課題を解決するための手段】
【０００５】
ランドセルの背あて部に装着された肩ベルト取り付け具のハウジング内部に配置した係合凸部に肩ベルトに配置した係合可能な係合穴部を前記ハウジング内に挿入させると係合状態となり、同時にこの係合部を軸に肩ベルトが回転可能な構造とした。またハウジング外壁に設置した舌片を押し込むことで前記肩ベルトの係合穴に係合しているハウジング内部に配置した係合凸部を弾性変位させ係合状態を解除できる構造とした。
【発明の効果】
【０００６】
本発明によりランドセルから肩ベルトが簡単に取り外しできることにより、使用者の個人の体格差や６年間の成長変化又は季節、使用状況など快適にランドセルを背負えるために様々な種類の肩ベルトを、使用者は好みにより付け替えることが出来るようになる。例えば低学年生ではコンパクトでソフトなベルトが良いだろうし、高学年生は幅が広く長めでしっかりしたベルトが適している。また夏場は汗などで蒸れる可能性があるのでメッシュ生地のベルトが適している。更に、デザインの好きな物や背負い易さや機能性で数種類の肩ベルトを保有し使用環境に応じて付け替えることも可能であり従来に比べより一層に背負い心地のよいランドセルに仕上がり。６年間安心して快適に背負うことができる。
【０００７】
また、従来のランドセルの選び方は肩ベルトも縫製などで取り付けられた完成品の中から、主にデザインや各部の作りこみ、重さ、素材、価格などを比べて決定していた。本発明を利用すればランドセル本体と肩ベルトを別々に検討し、背負い心地やデザインをその場で組み合わせて背負って確認し決定することができ、ランドセルは従来とは変わり選択の自由度と安心感が広がり、したがってより満足度の高いランドセルとなる。使用開始数日使ってみると使用者の体に合っていないことから体の痛みが発生するなどの問題も良くあるが、その場合も肩ベルトの変更が簡単に行えるのでリスクが低いランドセルとなる。また肩ベルトは使用者の体に一番触れるところでありランドセルの部品の中で一番の消耗部品ともいえ、この点においても肩ベルトが簡単に取り換え可能となるメリットがある。その場合スポーツメーカーやアウトドアメーカーとコラボレーションした機能性の高い肩ベルトやファッションブランドやキャラクターの著作権を持つ企業とコラボレーションしたデザイン性の高い肩ベルトの提供も同時に可能となるなど永いランドセルの歴史の中で大きな進歩となる。
【０００８】
また肩ベルトが簡単に脱着可能となったことで製造工程において肩ベルトはパーツとして長く各所の縫製作業において厄介な部品であるため、できるだけ後工程に取り付けた方が良い。本発明であれば完成の最終工程もしくは販売直前に取り付けることが可能で製造コストの低減となる。また店頭での不良品の交換や使用者の破損などによる交換作業などは今までは一度工場に送り縫製をほどいてやり直す必要があったが、そのまま現場もしくは使用者へ交換用の肩ベルトを送り、交換することが可能となり販売する側と使用者側の双方にメリットがある。
【図面の簡単な説明】
【０００９】
【図１】ランドセル取り付け状態斜視図
【図２】部品構成斜視図
【図３】係合状態断面図
【図４】係合解除動作断面図
【図５】係合解除状態断面図
【図６】肩ベルト係止具離脱状態断面図
【発明を実施するための形態】
【００１０】
以下本発明の実施形態について説明する。脱着可能な肩ベルト構造を有したランドセルを図１に示す。ランドセル本体６０には肩ベルト取り付け具１が背板６１に装着され、その上からカバー９０を縫製し、その上に押さえプレート５０をかぶせてカシメ８０にて背板６１に確実に固定されている。肩ベルト取り付け具１には脱着可能な肩ベルト係止具３０が係合されており端部には肩ベルト７０が取り付けてある。
【００１１】
次に前記肩ベルト取り付け具１の構造について部品の構成を斜視図にて図２に示す。ハウジングベース１０はランドセル本体６０の背板６１に取り付けるためにカシメ用穴１３を有している。前記ハウジングベース１０には左右に円柱状係合凸部１１が設けてありＵ字状切り欠き１２によってできた弾性変形可能な支持部１５上に円柱状係合凸部１１を有する構造となっている。また前記円柱状係合凸部１１には肩ベルト係止具３０に設けてある円筒状穴３１が係合し前記円柱状係合凸部１１を中心に回動する構造になっている。また前記ハウジングベース１０の中央にはばね取り付けボス１４が設けてあり、ばね４０が取り付けられる。ばね４０によって肩ベルト係止具３０が円柱状係合凸部１１と係合状態で係合部を中心に自由に回動することを前記肩ベルト係止具３０を常に閉じるように付勢している。前記ハウジングベース１０にハウジングカバー２０をかぶせて前記肩ベルト取り付け具１のハウジングが完成する。ハウジングカバー２０にはＵ字状切り欠き２４によって弾性可能な舌片２１が設けてあり、その内側には凸部２３が設置してある。凸部２３はハウジング完成状態で円柱状の係合凸部１１と対向するように配置されている。前記肩ベルト取り付け具１にカバー９０をかぶせて前記背板６１に縫い付ける。カバー９０にもカシメ用穴９１が設けてあり、さらにその上から押さえプレート５０を載せそれぞれの部材に開けたカシメ用穴にカシメ８０にて背板６１に確実に取りつけられている。
【００１２】
次に肩ベルト取り付け具１の機能について説明する。図３は肩ベルト取り付け具１のハウジング内に肩ベルト係止具３０が挿入され肩ベルト係止具３０に設けてある円筒状穴３１が円柱状係合凸部１１と回動可能に係合している状態の断面図である。（尚以降図６までの断面図においては背板６１、カバー９０、押さえプレート５０は省略してある。）この状態で前記肩ベルト係止具３０を肩ベルト取り付け具１から上部の引き抜き方向に引っ張っても、円柱状係合凸部１１が円筒状穴３１に係合しており外れない。
【００１３】
次に前記肩ベルト係止具３０を肩ベルト取り付け具１から離脱させるための仕組みについて説明したのが図４である。前記ハウジング外壁に前記円柱状の係合凸部１１と対向するように設置された弾性変形可能な舌片２１を外側から内側に押し込むことで凸部２３が、円柱状係合凸部１１を円筒状穴３１の外側にまで変位させた状態で肩ベルト係止具３０を上方に引き上げる。いったん舌片２１の側面に円筒状穴３１が接触し引き上げは停止するがその後舌片２１の外部からの押し込みを停止すると、前記側面に接触した円筒状穴３１から舌片２１が元の状態に復帰する構造となっている。
【００１４】
図５は図４で舌片２１が元の状態に復帰し円柱状係合凸部１１が肩ベルト係止具３０によって外側に変位している状態を示した断面図で有る。この状態では前記円柱状係合凸部１１と円筒状穴３１は係合状態を解消しているため肩ベルト取り付け具１から肩ベルト係止具３０はさらに上方に引き上げることが可能となる。
【００１５】
最後に肩ベルト取り付け具１から完全に肩ベルト係止具３０が離脱した状態の断面図を図６に示す。前記円柱状係合凸部１１は元の状態に復帰した状態となっている。
【００１６】
図２に示すように、ハウジングカバー２０の外壁面にはＵ字状切り欠き２４は存在するが外壁面と面一なために実際にカバー９０をかぶせた状態ではカバー９０の表面はフラットになりＵ字状切り欠き２４の存在は確認できないよう操作部を隠す構造になっている、そのために肩ベルト７０が脱着可能になり利便性を向上しつつ、子供のいたずらなどで容易に脱着できない。反対に脱着操作を容易にするためにカバー９０に取り外しのためにどの位置を押し込めば良いか示すためにカバー９０の表面に表示をすることも可能である。
【００１７】
肩ベルト係止具３０及びハウジングベース１０やハウジングカバー２０は弾性変形可能な素材で有れば樹脂製でも金属製などでも良い。
【産業上の利用可能性】
【００１８】
背負いカバン
【符号の説明】
【００１９】
１・肩ベルト取り付け具、１０・ハウジングベース、１1・円柱状係合凸部、１２・Ｕ字状切り欠き、１３・カシメ用穴、１４・ばね取り付けボス、１５・弾性変形可能な支持部、２０・ハウジングカバー、２１・舌片、２２・カシメ用穴、２３・凸部、２４・Ｕ字状切り欠き、３０・肩ベルト係止具、３１・円筒状穴、４０・ばね、５０・押さえプレート、５１カシメ用穴、６０・ランドセル本体、６１・背板、７０・肩ベルト、８０・カシメ、９０・カバー、９１・カシメ用穴
【要約】      （修正有）【課題】使用者の性別や体格差や、６年間の成長変化又は季節による衣類の状況などに応じて、快適にランドセルを背負えるためには、肩ベルトは個人の好みや季節、使用環境などに応じて、様々な種類の背ベルトが用意され状況に応じて付け替えることができる構造が望まれる。【解決手段】ランドセルの背あて部６１に、装着された肩ベルト取り付け具１のハウジング内部に配置した係合凸部に、肩ベルト７０に配置した係合可能な係合穴部を、ハウジング内に挿入させると係合状態となり、同時にこの係合部３０を軸に肩ベルトが回転可能な構造とした。またハウジング外壁に設置した舌片を押し込むことで、肩ベルトの係合穴に係合しているハウジング内部に配置した係合凸部を、弾性変位させ係合状態を解除できる構造とした。【選択図】図１【図１】
0006024045.tif 000002
【図２】
0006024045.tif 000003
【図３】
0006024045.tif 000004
【図４】
0006024045.tif 000005
【図５】
0006024045.tif 000006
【図６】
0006024045.tif 000007